(57)【要約】【課題】容器流通過程において加えられる衝撃の程度や発生状況を適格に把握することができ、品質信頼性と生産歩留り性に優れた容器の封鎖構造を提供する。【解決手段】容器本体１１に取り付けられる注出筒１２に覆設される閉塞部１４を有し、閉塞部上部の嵌合凹部１８と嵌合自在である嵌合凸部１８’が形成されており、前記摘み部の嵌合凸部が閉塞部の嵌合凹部から外れさらに下方に旋回したときに弱化部１７が破断可能に形成されている。【選択図】図１
2014201321.tif 000002
【特許請求の範囲】
【請求項１】
容器本体の上方に取り付けられ上方に延びる注出筒と、
前記注出筒と薄肉部を介してその上方に覆設される閉塞部とを有し、
前記閉塞部は、その側方に、下端のヒンジ連結部を軸芯として上下方向に旋回自在の摘み部を備えた容器の封鎖構造において、
前記摘み部と前記閉塞部とは、前記ヒンジ連結部より上方において破断可能な弱化部により接続されると共に、
前記摘み部の該弱化部より更に上方には、前記閉塞部上部の嵌合凹部と嵌合自在である嵌合凸部が形成されており、前記摘み部の嵌合凸部が嵌合していた前記閉塞部上部の嵌合凹部から外れさらに下方に旋回したときに前記弱化部が破断可能に形成されていることを特徴とする容器の封鎖構造。
【請求項２】
請求項１記載の容器の封鎖構造がスパウトであって、
前記注出筒下部の接続基部が前記容器本体の開口部分に取り付けられていることを特徴とする容器の封鎖構造。
【請求項３】
請求項１又は２記載の容器の封鎖構造が容器本体の開口部分に取り付けられていることを特徴とする容器。
【発明の詳細な説明】
【技術分野】
【０００１】
本発明は、容器流通過程において付加される衝撃によって容器や内容物に異常を来したことを視認可能な容器の封鎖構造及びこれを用いた容器に関する。
【背景技術】
【０００２】
調味料用の容器などにはその内容物を注出するための注出機能を備えたキャップやスパウトなどの注出筒が、容器の口部に嵌合固定され、或いは紙容器の口部に接着固定されている。このような注出筒では、薄肉状に形成されたスコアを介して蓋となる閉塞部が一体的に設けられており、このスコアの部分を引き裂くことにより形成される注出口を通して容器内容物の取り出しが行われるワンピースタイプのものが存在する。
【０００３】
例えば、特許文献１（特開２０１１−１４３９４３号公報）には、横断面が紡錘形状をなし、上端部が漸次縮径する圧搾可能な周壁部の上端縁に、薄肉の切断線を介して蓋板を延設した合成樹脂製の容器本体を備え、前記蓋板上に指掛けと吊り下げを兼ねるリングを一体に立設し、前記周壁部下面に周縁部を固着してその下端開口を閉塞する可撓性の底蓋を設けた絞り出し容器が記載されている。
【先行技術文献】
【特許文献】
【０００４】
【特許文献１】特開２０１１−１４３９４３号公報
【発明の概要】
【発明が解決しようとする課題】
【０００５】
しかしながら、上記特許文献１に開示された絞り出し容器には、次のような解決すべき問題がある。
すなわち、容器の流通過程においてはその輸送中の振動や落下、ハンドリングなどの際に、その容器に衝撃が加えられることが少なくないが、容器にこのような衝撃が加えられると、容器のキャップやスパウトなどの封鎖構造に形成されている薄肉状に形成されたスコア部分（特許文献１では切断線）が破断される等の損傷を受け内容物の漏れを生じ、内容物の品質への信頼性や歩留りの低下に繋がるおそれがあった。
さらに、製品の製造段階から店頭に配置されるまでのどの段階で衝撃やこれによる液漏れが生じたのかを適格に把握するのが困難であり、品質管理上の障害ともなっていた。
スコア部分の損傷を回避するためにはスコア部分の残留肉厚を増大させることが有効だが、この場合はスコア部分の破断が困難となり、開栓性が損なわれることになる。
【０００６】
本発明は上記問題点に鑑みてなされたものであり、その主たる技術的課題は容器流通過程において加えられた衝撃の程度や発生状況を適格に把握して視認することができ、これによる品質信頼性と生産歩留り性を有するとともに、開栓容易性にも優れた容器の封鎖構造及びこれを用いた容器を提供することを目的とする。
【課題を解決するための手段】
【０００７】
（１）本発明の封鎖構造は、容器本体の上方に取り付けられ上方に延びる注出筒と、前記注出筒と薄肉部を介してその上方に覆設される閉塞部とを有し、前記閉塞部は、その側方に、下端のヒンジ連結部を軸芯として上下方向に旋回自在の摘み部を備えた容器の封鎖構造において、
前記摘み部と前記閉塞部とは、前記ヒンジ連結部より上方において破断可能な弱化部により接続されると共に、前記摘み部の該弱化部より更に上方には、前記閉塞部上部の嵌合凹部と嵌合自在である嵌合凸部が形成されており、前記摘み部の嵌合凸部が嵌合していた前記閉塞部上部の嵌合凹部から外れさらに下方に旋回したときに前記弱化部が破断可能に形成されていることを特徴とする。
（２）前記（１）の容器の封鎖構造がスパウトであって、前記注出筒下部の接続基部が前記容器本体の開口部分に取り付けられていることを特徴とする。
（３）本発明の容器は、前記（１）又は（２）の容器の封鎖構造を容器本体の開口部分に取り付けられるように構成されている。
【発明の効果】
【０００８】
本発明によれば、その破断により外部からの衝撃に対する履歴マーカや衝撃緩材として機能させることのできる弱化部を、上部に突出して形成された摘み部と閉塞部との間に備えるので、容器流通過程やハンドリング時に加えられた衝撃の程度や発生状況を弱化部の状態を外部から視認して適格に把握することができるので、内容物の品質信頼性と生産歩留り性を向上させた容器の封鎖構造を提供することができる。
【図面の簡単な説明】
【０００９】
【図１】（ａ）は実施例１に係るキャップの側面図であり、（ｂ）はキャップを容器本体の開口部分に取り付けた状態を示す側面図である。
【図２】実施例１のキャップを容器本体に取り付けた状態において、弱化部が破断された状態を示す側面図である。
【図３】実施例１のキャップを容器本体に取り付けた状態において、閉塞部が薄肉部から切断された状態を示す側面図である。
【図４】実施例２に係るスパウトの側面図である。
【図５】実施例２に係るスパウトを上方から視た上面図である。
【図６】実施例２に係るスパウトにおいて、嵌合凸部が嵌合凹部から外れた状態を示す半断面図である。
【図７】実施例２に係るスパウトにおいて、弱化部が破断された状態を示す側面図である。
【図８】実施例２に係るスパウトにおいて、閉塞部が薄肉部から切断された状態を示す半断面図である。
【発明を実施するための形態】
【００１０】
本発明の実施形態に係る容器の封鎖構造は、容器本体の上方に取り付けられ上方に延びる注出筒と、前記注出筒と薄肉部を介してその上方に覆設される閉塞部と、前記閉塞部の側方に下端のヒンジ連結部を軸芯として上下方向に旋回自在の摘み部とを有する。
前記摘み部と前記閉塞部とは前記ヒンジ連結部より上方において破断可能な弱化部により接続されており、前記摘み部の該弱化部より更に上方には前記閉塞部上部の嵌合凹部と嵌合自在である嵌合凸部が形成されている。
また、前記摘み部の嵌合凸部が嵌合していた前記閉塞部上部の嵌合凹部から外れさらに下方に旋回した場合に、前記弱化部が破断可能に形成されている。
【００１１】
以上のように、摘み部の嵌合凸部が嵌合していた前記閉塞部上部の嵌合凹部から外れていることによって、外部から封鎖構造に軽度な衝撃が加わったことが外部から視認できる。
さらに、閉塞部の側壁の斜め上方に突出して形成された摘み部と該閉塞部との間に形成された弱化部が破断されることによって、外部からさらに大きな衝撃が加わったことが視認できるとともに、注出筒と薄肉部を介して覆設される閉塞部の封鎖構造における薄肉部が誤って破断される等の損傷を受け内容物が漏れてしまうことを防止出来るのである。
このように、実施形態の封鎖構造は、容器流通過程やハンドリング時に加えられた衝撃の程度や発生状況を、嵌合凸部と嵌合凹部との嵌合状態や弱化部の状態を視認することによって、製品に加わった衝撃に対する履歴マーカとして機能させることができる。
さらに、規定の応力で外れる嵌合凹部と嵌合凸部、及び破断する弱化部を設けているので、外部からの衝撃に対する緩和部材としても機能させることもでき、容器流通過程やハンドリング時の衝撃による容器本体や封鎖構造の破損（特に薄肉部の破損）を防止することも可能となる。
【００１２】
容器の封鎖構造としては、例えば、飲料やシャンプー、液体洗剤用などを内容物とするパウチ容器やボトル容器などの容器本体の開口部分に、溶着などの手段により取り付けて固定される合成樹脂製のキャップやスパウトなどが挙げられる。
スパウトは、パウチ状の包装体等に溶着して使用され、内容物の注出路となる空間が貫通している注出筒と、該注出筒の下部に位置し、外方に延びて形成されたフランジ部やフランジ部の下面から下方に延び包装体の開口部分に取り付けられる接続基部などを備えて構成される。
【００１３】
注出筒は、容器本体の上方に取り付けられ上方に延びて内容物の注出路となる空間が貫通している部分であり、後述する閉塞部の取り外しによってその上方には内容物を注出する注出口が形成されるようになっている。
薄肉部は注出筒の周壁に沿って薄肉円環状（スコア）に形成された部分であり、
閉塞部の側壁の斜め上方に取り付けられた摘み部を持ち上げることによって、所定の弱い破断力で破断させて容器内の内容物を注出する注出口を形成させる。
【００１４】
閉塞部は、注出筒の注出口を閉塞する部分であり、注出筒の上部に薄肉部を介して覆設される合成樹脂製などで形成される椀状の封止部である。
摘み部はヒンジ連結部を介して閉塞部の側壁の斜め上方にその基部が接続されており、摘み部を把持して閉塞部を持ち上げるようにすることによって薄肉部を破断させて、注出筒の上端に注出口が形成されるようになっている。
【００１５】
弱化部は、ヒンジ連結部より上方において摘み部と閉塞部とを互いに破断可能に接続して一体的に形成された連結部であり、外部からの所定の破断力（衝撃）が付与されることで破断される。
この弱化部より更に上方の摘み部には、閉塞部上部に形成された嵌合凹部と嵌合する嵌合凸部が形成されている。
【００１６】
嵌合凸部及び嵌合凹部は、嵌合自在に設けられた着脱部材である。摘み部の嵌合凸部を閉塞部の嵌合凹部に嵌合させることによって、容器開封前において摘み部を閉塞部の斜め上方に保持する。
また、予期しない所定の外力が加わったときに嵌合凸部が嵌合凹部から外れるようになっており、外部からの衝撃に対する緩和機能も有するようになっている。
さらに、嵌合凸部が閉塞部上部の嵌合凹部から外れているのを視認することによって、容器本体や封鎖構造に外部から衝撃が加わったことを視認できる。
【００１７】
ヒンジ連結部は摘み部の基部と閉塞部の側方下端とを接続する接続部分であり、摘み部がその軸芯を中心として旋回自在に取り付けられており、摘み部を持ち上げる開封操作の時には、摘み部に負荷される力を閉塞部に伝達する連結機能を有する。
【００１８】
以下、本発明に係る容器の封鎖構造及びこれを用いた容器の実施例について図面を参照しながら更に具体的に説明する。
（実施例１）
本発明の実施例１として、封鎖構造がポリエチレンやポリプロピレンなどの合成樹脂を素材として一体成形されたキャップである場合を説明する。
キャップ１０は、図１（ａ）（ｂ）に示すように、その基部（（ａ）の下方部）が飲料用ボトルなどの容器本体１１の開口部分（（ｂ）の上方部）に取り付けられており、内容物が注出される略円筒状の注出筒１２と、注出筒１２の周壁に薄肉円環状に形成された薄肉部（スコア）１３を介して、注出筒１２上方に覆設される閉塞部１４とを備えている。
また、注出筒１２の周壁下部には内方に突出する雌ネジ部（図示せず）が形成されており、容器本体１１の開口外周面に形成される雄ネジ部（図示せず）に係合固定される。
【００１９】
略半球状に形成された閉塞部１４は、その側方下端にヒンジ連結部１５を軸芯として上下方向に旋回自在に取り付けられた、略平板状の摘み部１６を備え、ヒンジ連結部１５より上方において、所定の破断力で破断される弱化部１７により摘み部１６と接続されている。
【００２０】
さらに、摘み部１６には、弱化部１７より更に上方となる位置に、閉塞部１４上部に設けられた嵌合凹部１８と嵌合自在である嵌合凸部１８’が形成されている。
キャップを容器本体に取り付けた状態（セット時）においては、摘み部１７の嵌合凸部１８’は閉塞部上部の嵌合凹部１８に嵌合した状態におかれている。
【００２１】
ここで、キャップ１０は、射出成形等による一体成形が可能であり、その素材としては、射出成形性や容器壁とのヒートシール性、薄肉部１３における破断性等の観点から、各種のオレフィン樹脂、例えば低密度ポリエチレン、中密度ポリエチレン、或いは高密度ポリエチレン、線状低密度ポリエチレン、アイソタクティックポリプロピレン、シンジオタクティックポリプロピレン、ポリ１−ブテン、ポリ４−メチル−１−ペンテン或いはエチレン、プロピレン、１−ブテン、４−メチル−１−ペンテン等のα−オレフィン同士のランダム或いはブロック共重合体、エチレン−酢酸ビニル共重合体、エチレン−（メタ）アクリル酸共重合体、エチレン−(メタ)アクリル酸エステル共重合体、イオン架橋オレフィン共重合体（アイオノマー）などのうち、特に軟質のものを用いることができる。
【００２２】
以上のように構成されるキャップ１０においては、消費者が使用する前に何らかの衝撃がキャップに加わった場合には、図２に示すように、嵌合していた嵌合凸部１８’は閉塞部上部の嵌合凹部１８から外れ、さらに下方（矢印）に旋回すると弱化部１７が引き裂かれるようになっている。
例えば、容器搬送中の衝撃などによって閉塞部１４に形成された摘み部１６に規定以上の外力が負荷された場合に、図示するように、弱化部１７が破断することで嵌合凸部１８’が嵌合凹部１８から外れて、その破断状況が明示される。すなわち容器が異常状態におかれたことを表示する履歴マーカとして機能（タンパーエビデント機能）させることができる。さらに薄肉部（スコア）１３に直接的に衝撃が加わることが防止される為、誤って薄肉部１３が破断されるおそれが必然的に少なくなるのである。
なお嵌合凹部１８、嵌合凸部１８’の両者を、閉塞部１４、摘み部１６にそれぞれ形成するのに代えて、摘み部１６に嵌合凹部１８、閉塞部１４に嵌合凸部１８’を形成しても良い言うまでもない。
【００２３】
なお、キャップ１０の開栓操作をする場合には、図３に示すように、摘み部１６を把持して引き上げる（上矢印方向）ことによって、閉塞部１４と摘み部１６間の結合はヒンジ連結部１５によって維持されたまま、薄肉部１３の破断によって閉塞部１４が分離されて取り除かれ、容器本体１１に装着された注出筒１２上方に内容物の注出口１２’が形成されるようになっている。
【００２４】
（実施例２）
本発明の実施例２として、封鎖構造が、ポリプロピレンなどの合成樹脂を素材として一体成形されたスパウトである場合を説明する。
スパウト２０は、図４〜図８に示すように、注出筒２２の下部に位置する接続基部２２ｂが飲料用パウチなどの容器本体１１の開口部分に溶着して取り付けられ、
内容物が注出される略円筒状の注出筒２２と、注出筒２２の周壁に薄肉円環状（スコア）に形成された薄肉部（スコア）２３を介して、注出筒２２上方に覆設される閉塞部２４とを備えている。
注出筒２２には、その下方の平面視略菱形状（あるいは船形状）に形成されたフランジ２２ａの下方に断面扁平状に形成された接続基部２２ｂが延設されており、プラスチックフィルムやアルミ箔などを貼り合せて袋状に形成された容器本体の上部フィルム間（開口部分）に、溶着や接着などの手段により取り付けられるようになっている。
【００２５】
一方、閉塞部２４は、その側方下端にヒンジ連結部２５を軸芯として上下方向に旋回自在に取り付けられた、略平板状の摘み部２６を備え、ヒンジ連結部２５より上方において、所定の破断力で破断される弱化部２７により摘み部２６と接続されている。
【００２６】
さらに、摘み部２６には、弱化部２７より更に上方となる位置に、閉塞部２４上部に設けられた嵌合凹部２８と嵌合自在である嵌合凸部２８’が形成されている。
このように、スパウトを容器本体に取り付けた状態（セット時）においては、摘み部２６の嵌合凸部２８’は閉塞部上部の嵌合凹部２８に嵌合した状態におかれているが（図４参照）、何らかの衝撃が外部から加わったときには、摘み部２６の嵌合凸部２８’が閉塞部２４上部の嵌合凹部２８から外れた状態になる（図６参照）。なお、スパウトを容器本体に取り付ける前の成形直後のスパウトについても、図６と同じ形である。
また、さらに大きな衝撃が加わったときには、摘み部２６が下方に旋回（矢印）するとともに弱化部２７が破断されて、摘み部２６が下方に大きく垂れ下がった状態となり、スパウトに何らかの異常があったことが視認可能となるように設定している（図７参照）。さらに薄肉部（スコア）２３に直接的に衝撃が加わることが防止される為、誤って薄肉部１３が破断されるおそれが必然的に少なくなるのである。
【００２７】
なお、スパウトを開栓操作する場合には、図８に示すように、摘み部２６を把持して引き上げる（上矢印方向）ことによって、閉塞部２４と摘み部２６間の結合はヒンジ連結部２５によって維持されたまま、薄肉部２３の破断によって閉塞部２４が分離されて取り除かれ、容器本体１１に装着された注出筒２２上方に内容物の注出口２２’が形成されるようになっている。
【産業上の利用可能性】
【００２８】
本発明の容器の封鎖構造及びこれを用いた容器は、パウチ容器やボトル容器などの流通過程において、衝撃履歴マーカとしての機能を備えており品質管理上優れた効果を有する。さらに、容器内に液状内容物を収容した状態で落下させても、摘み部と閉塞部間に設けた弱化部が破断することによる衝撃緩和性を有しており、耐用性に優れている。
しかも安価に製造できることから、その利用可能性は極めて高い。
【符号の説明】
【００２９】
１０    キャップ
１１    容器本体
１２    注出筒
１２’    注出口
１３    薄肉部
１４    閉塞部
１５    ヒンジ連結部
１６    摘み部
１７    弱化部
１８    嵌合凹部
１８’    嵌合凸部
２０    スパウト
２２    注出筒
２２’    注出口
２２ａ    フランジ
２２ｂ    接続基部
２３    薄肉部
２４    閉塞部
２５    ヒンジ連結部
２６    摘み部
２７    弱化部
２８    嵌合凹部
２８’    嵌合凸部
【図１】
2014201321.tif 000003
【図２】
2014201321.tif 000004
【図３】
2014201321.tif 000005
【図４】
2014201321.tif 000006
【図５】
2014201321.tif 000007
【図６】
2014201321.tif 000008
【図７】
2014201321.tif 000009
【図８】
2014201321.tif 000010